(57)【要約】【課題】液晶表示装置の狭額縁化の要請を満たすとともに、凹型湾曲液晶表示装置の表示領域内の輝度の均一性を改善し得るバックライト及び該バックライトを有する湾曲液晶表示装置を提供することを目的とする。【解決手段】バックライトユニットを構成するフレーム、光学シート及び拡散板の形状を凹型湾曲パネルと同じ凹型湾曲形状とし、凹型湾曲パネル面と、バックライトユニットを構成するフレームのうち凹型湾曲パネルに面するフレーム面と、光学シート面及び複数の冷陰極蛍光ランプの管中心軸を含む面が、それぞれ平行となるように、液晶パネル、光学シート及び冷陰極蛍光ランプを設置構成する。【選択図】図１
2007171681.tif 000002
【特許請求の範囲】
【請求項１】
凹型湾曲パネルを有する液晶表示装置に用いる直下型バックライトユニットであって、
前記直下型バックライトユニットの光源は面光源であり、
前記面光源が前記凹型湾曲パネルと平行となるように構成されていることを特徴とする液晶表示装置用直下型 バックライトユニット。
【請求項２】
凹型湾曲パネルを有する液晶表示装置に用いる直下型バックライトユニットであって、
前記直下型バックライトユニットの光源は面光源であり、
前記直下型バックライトユニットを構成するフレーム、光学シート、拡散板、反射シート及び前記面光源の面形状は前記凹型湾曲パネルと略同じ凹型湾曲形状であって、
前記凹型湾曲パネルと、前記直下型バックライトユニット フレームと、前記光学シートと、前記拡散板と、前記反射シートと、前記面光源とがそれぞれ平行となるように構成されていることを特徴とする液晶表示装置用直下型 バックライトユニット。
【請求項３】
凹型湾曲パネルを有する液晶表示装置に用いる直下型バックライトユニットであって、
前記直下型バックライトユニットの光源は複数の冷陰極蛍光ランプよりなり、
各前記冷陰極蛍光ランプの管中心軸を含む面が前記凹型湾曲パネルと平行となるように構成されていることを特徴とする液晶表示装置用直下型バックライトユニット。
【請求項４】
凹型湾曲パネルを有する液晶表示装置に用いる直下型バックライトユニットであって、
前記直下型バックライトユニットの光源は複数の冷陰極蛍光ランプよりなり、
前記直下型バックライトユニットを構成するフレーム、光学シート、拡散板及び反射シートの形状は前記凹型湾曲パネルと略同じ凹型湾曲形状であって、
前記凹型湾曲パネルと、前記直下型バックライトユニット フレームと、前記光学シートと、前記拡散板と、前記反射シートと、各前記冷陰極蛍光ランプの管中心軸を含む面とがそれぞれ平行となるように構成されていることを特徴とする  液晶表示装置用直下型バックライトユニット。
【請求項５】
前記冷陰極蛍光ランプは直菅形状を有して、
前記冷陰極蛍光ランプは凹型湾曲パネルの湾曲していない側の辺と並列に配置されていることを特徴とする請求項３及び４に記載の液晶表示装置用直下型バックライトユニット。
【請求項６】
前記冷陰極蛍光ランプはU字形状を有して、
前記冷陰極蛍光ランプは凹型湾曲パネルの湾曲していない側の辺と並列に配置されていることを特徴とする請求項３及び４に記載の液晶表示装置用直下型バックライトユニット。
【請求項７】
前記冷陰極蛍光ランプは前記凹型湾曲パネルと同様に湾曲して、前記凹型湾曲パネルの湾曲している側の辺と並列に配置されていることを特徴とする３及び４に記載の液晶表示装置用直下型バックライトユニット。
【請求項８】
凹型湾曲パネルを有する液晶表示装置に用いる直下型バックライトユニットであって、
前記直下型バックライトユニットの光源はLED面光源であって
前記LED面光源が前記凹型湾曲パネルと平行となることを特徴とする液晶表示装置用直下型バックライトユニット。
【請求項９】
凹型湾曲パネルを有する液晶表示装置に用いる直下型バックライトユニットであって、
前記直下型バックライトユニットの光源はLED面光源であり、
前記直下型バックライトユニットを構成するフレーム、光学シート、拡散板、反射シート及び前記LED面光源の形状は前記凹型湾曲パネルと略同じ凹型湾曲形状であって、
前記凹型湾曲パネルと、前記直下型バックライトユニット フレームと、前記光学シートと、前記拡散板と、前記反射シートと、前記LED面光源とはそれぞれ平行となるように構成されていることを特徴とする液晶表示装置用直下型バックライトユニット。
【請求項１０】
前記平面光源はキセノンランプにより構成されることを特徴とする請求項１及び２に記載の液晶表示装置用直下型バックライトユニット。
【請求項１１】
前記凹型湾曲パネルを有する液晶表示装置のベゼルの一部であって、前記凹型湾曲パネルの湾曲していない側の辺を留めている部分が前記凹型湾曲パネルと同じ形状で湾曲していることを特徴とする請求項１乃至１０に記載の液晶表示装置用直下型バックライトユニット。
【請求項１２】
凹型湾曲パネルを有する液晶表示装置に用いるサイド型バックライトユニットであって、
前記直下型バックライトユニットの光源は冷陰極蛍光ランプよりなり、
前記バックライトユニットを構成するフレーム、光学シート、拡散板、反射シート及び導光板の形状は前記凹型湾曲パネルと略同じ凹型湾曲形状であって、
直管冷陰極蛍光ランプが前記導光板の側部に設置され、
前記凹型湾曲パネルと、前記バックライトユニットフレームと、前記光学シートと、前記拡散板と、前記反射シートと導光板とはそれぞれ平行となるように構成されていることを特徴とする液晶表示装置用サイド型バックライト ユニット。
【請求項１３】
凹型湾曲パネルを有する液晶表示装置に用いるサイド型バックライトユニットであって、
前記直下型バックライトユニットの光源は平板状のLED面光源よりなり、
前記バックライトユニットを構成するフレーム、光学シート、拡散板、反射シート及び導光板の形状は前記凹型湾曲パネルと略同じ凹型湾曲形状であって、
前記平板状のLED面光源が前記導光板の側部に設置され、
前記凹型湾曲パネルと、前記バックライトユニットフレームと、前記光学シートと、前記拡散板と、前記反射シートと、前記導光板とはそれぞれ平行となるように構成されていることを特徴とする液晶表示装置用サイド型バックライトユニット。
【請求項１４】
請求項１乃至１３に記載の液晶表示装置用バックライトユニットを具備することを特徴とする凹型湾曲液晶パネルを有する液晶表示装置。
【発明の詳細な説明】
【技術分野】
【０００１】
本発明は、湾曲液晶表示装置に用いるバックライト及び湾曲液晶表示装置に関する。
【背景技術】
【０００２】
近年、液晶表示装置がテレビジョン受信機の表示  装置に採用されるのに伴い、液晶表示装置画面の大画面化が加速している。画面の大画面化が進むにつれ、視聴者が画面の中央部を視る場合と画面の左右の両端を見る場合における視角差（本明細書においては、「視角」の用語を画面の観察者の視線と観察している画面の接線とのなす角度と定義し、それらの差を「視角差」と定義して使用する）が大きくなってしまうという問題がある。
【０００３】
また、所謂映り込みも大きくなってしまうという問題もある。このような視角差は、画面を凹型に湾曲させることによって改善される。
【０００４】
しかしながら、画面を凹型に湾曲させた液晶パネル（以下「凹型湾曲液晶パネル」ともいう）によって視角差は改善されるが、このような凹型湾曲液晶パネルに対して、従来の平面液晶パネルと同じ構造のバックライトを使用すると、特に凹型湾曲液晶パネルの周辺部においてバックライト内の光源から放射された光の均一性が崩れるという問題が発生する。その結果、凹型湾曲液晶パネルの画質が従来の平面型液晶表示装置の画面に比べて低いものとなってしまう。
【０００５】
この問題に対して従来からの平面液晶パネル用のバックライトを利用する解決策としては、該バックライトの光源を配置する空間を拡大するものがある。
【０００６】
この解決策について図８を参照しつつ説明する。
【０００７】
図８の（ａ）は、凹型湾曲液晶パネルの両端を見ている  観測者の視線とバックライトの横幅の関係を示す説明断面図である。図８の（ｂ）は、バックライトの形状も凹型湾曲にした場合の、液晶パネルの両端を見ている観測 者の視線とバックライトの横幅の関係を示す説明断面図である。
【０００８】
図８の（ａ）凹型湾曲液晶パネルの隅部８０２においてはバックライトから隅部８０２を通過して観察者の目に至る直接光による光線が存在しない。そのために隅部８０２における画面の輝度は低くなってしまう。
【０００９】
この解決策として、バックライトの横幅をｗ３からｗ４に拡大するとバックライトから隅部８０２を通過して観察者の目に至る直接光による光線８０１が得られ、隅部８０２における輝度を改善することができる。
【００１０】
しかしながら、かかる解決策は、液晶表示装置の外形を大きくしてしまい、表示装置の狭額縁化の要請に反する。一方、図８の（ｂ）に示されているように、バックライト自体を凹型湾曲液晶パネルの形状に合わせて、凹型湾曲形状にすれば、バックライトの横幅を広げなくても、隅部８０２においても、湾曲したバックライトから、観察者の目に至る直接光による光線８０１が得られ、隅部８０２における輝度を改善することができる。
【００１１】
【特許文献１】特開  ２００５−１５００５６
【発明の開示】
【発明が解決しようとする課題】
【００１２】
そこで、本発明は、表示装置の狭額縁化の要請をも満たし、凹型湾曲液晶表示装置の表示領域内の輝度の均一性の改善を得られるバックライト及びかかるバックライトを有する湾曲液晶表示装置を提供することを目的とする。
【課題を解決するための手段】
【００１３】
上記課題を解決するために、特にバックライトユニット、光学シート、光源の形状等を検討比較した結果、バックライトユニット、光学シート、光源等も液晶パネルと同様に凹型湾曲にすることが有効であることを確認した、
そこで、請求項１に記載の発明は凹型湾曲パネルを有する液晶表示装置に用いる直下型バックライトユニットであって、
前記直下型バックライトユニットの光源は面光源であり、
前記面光源が前記凹型湾曲パネルと平行となるように構成されていることを特徴とする。
【００１４】
また、請求項２に記載の発明は凹型湾曲パネルを有する液晶表示装置に用いる直下型バックライトユニットであって、
前記直下型バックライトユニットの光源は面光源であり、
前記直下型バックライトユニットを構成するフレーム、光学シート、拡散板、反射シート及び前記面光源の面形状は前記凹型湾曲パネルと略同じ凹型湾曲形状であって、
前記凹型湾曲パネルと、前記直下型バックライトユニット フレームと、前記光学シートと、前記拡散板と、前記反射シートと、前記面光源とがそれぞれ平行となるように構成されていることを特徴とする。
【００１５】
また、請求項３に記載の発明は凹型湾曲パネルを有する液晶表示装置に用いる直下型バックライトユニットであって、
凹型湾曲パネルを有する液晶表示装置に用いる直下型バックライトユニットであって、
前記直下型バックライトユニットの光源は複数の冷陰極蛍光ランプよりなり、
各前記冷陰極蛍光ランプの管中心軸を含む面が前記凹型湾曲パネルと平行となるように構成されていることを特徴とする。
【００１６】
また、請求項４に記載の発明は凹型湾曲パネルを有する液晶表示装置に用いる直下型バックライトユニットであって、
前記直下型バックライトユニットの光源は複数の冷陰極蛍光ランプよりなり、
前記直下型バックライトユニットを構成するフレーム、光学シート、拡散板及び反射シートの形状は前記凹型湾曲パネルと略同じ凹型湾曲形状であって、
前記凹型湾曲パネルと、前記直下型バックライトユニット フレームと、前記光学シートと、前記拡散板と、前記反射シートと、各前記冷陰極蛍光ランプの管中心軸を含む面とがそれぞれ平行となるように構成されていることを特徴とする。
【００１７】
また、請求項５に記載の発明は請求項３及び４に記載の液晶表示装置用直下型バックライトユニットに係り、
前記冷陰極蛍光ランプは直菅形状を有して、
前記冷陰極蛍光ランプは凹型湾曲パネルの湾曲していない側の辺と並列に配置されていることを特徴とする。
【００１８】
また、請求項６に記載の発明は請求項３及び４に記載の液晶表示装置用直下型バックライトユニットに係り、
前記冷陰極蛍光ランプはU字形状を有して、
前記冷陰極蛍光ランプは凹型湾曲パネルの湾曲していない側の辺と並列に配置されていることを特徴とする。
【００１９】
また、請求項７に記載の発明は３及び４に記載の液晶表示装置用直下型バックライトユニットに係り、
前記冷陰極蛍光ランプは前記凹型湾曲パネルと同様に湾曲して、前記凹型湾曲パネルの湾曲している側の辺と並列に配置されていることを特徴とする。
【００２０】
また、請求項８に記載の発明は凹型湾曲パネルを有する液晶表示装置に用いる直下型バックライトユニットであって、
前記直下型バックライトユニットの光源はLED面光源であって
前記LED面光源が前記凹型湾曲パネルと平行となることを特徴とする。
【００２１】
また、請求項９に記載の発明は凹型湾曲パネルを有する液晶表示装置に用いる直下型バックライトユニットであって、
前記直下型バックライトユニットの光源はLED面光源であり、
前記直下型バックライトユニットを構成するフレーム、光学シート、拡散板、反射シート及び前記LED面光源の形状は前記凹型湾曲パネルと略同じ凹型湾曲形状であって、
前記凹型湾曲パネルと、前記直下型バックライトユニット フレームと、前記光学シートと、前記拡散板と、前記反射シートと、前記LED面光源とはそれぞれ平行となるように構成されていることを特徴とする。
【００２２】
また、請求項１０に記載の発明は請求項１及び２に記載の液晶表示装置用直下型バックライトユニット係り、
前記平面光源はキセノンランプにより構成されることを特徴とする。
【００２３】
また、請求項１１に記載の発明は請求項１及び２に記載の液晶表示装置用直下型バックライトユニット係り、
前記凹型湾曲パネルを有する液晶表示装置のベゼルの一部であって、前記凹型湾曲パネルの湾曲していない側の辺を留めている部分が前記凹型湾曲パネルと同じ形状で湾曲していることを特徴とする。
【００２４】
また、請求項１２に記載の発明は凹型湾曲パネルを有する液晶表示装置に用いるサイド型バックライトユニットであって、
前記直下型バックライトユニットの光源は冷陰極蛍光ランプよりなり、
前記バックライトユニットを構成するフレーム、光学シート、拡散板、反射シート及び導光板の形状は前記凹型湾曲パネルと略同じ凹型湾曲形状であって、
直管冷陰極蛍光ランプが前記導光板の側部に設置され、
前記凹型湾曲パネルと、前記バックライトユニットフレームと、前記光学シートと、前記拡散板と、前記反射シートと導光板とはそれぞれ平行となるように構成されていることを特徴とする。
【００２５】
また、請求項１３に記載の発明は凹型湾曲パネルを有する液晶表示装置に用いるサイド型バックライトユニットであって、
前記直下型バックライトユニットの光源は平板状のLED面光源よりなり、
前記バックライトユニットを構成するフレーム、光学シート、拡散板、反射シート及び導光板の形状は前記凹型湾曲パネルと略同じ凹型湾曲形状であって、
前記平板状のLED面光源が前記導光板の側部に設置され、
前記凹型湾曲パネルと、前記バックライトユニットフレームと、前記光学シートと、前記拡散板と、前記反射シートと、前記導光板とはそれぞれ平行となるように構成されていることを特徴とする。
【００２６】
また、請求項１４に記載の発明は凹型湾曲パネルを有する液晶表示装置に用いるサイド型バックライトユニットであって、
請求項１乃至１３に記載の液晶表示装置用バックライトユニットを具備することを特徴とする。
【発明の効果】
【００２７】
請求項１に記載の発明によれば、画面が凹型に湾曲しており、通常の平面型バックライトユニットを用いると輝度むらを生じてしまうという問題に対して、液晶表示装置の外形寸法を大きくすることなく、輝度むらを改善することができる。
【００２８】
請求項２に記載の発明によれば、バックライトユニットのフレーム、光学シート、拡散板、反射シート及び面光源の形状を液晶パネルの形状と同じような湾曲形状にし、それらを平行となるように構成することによって、光源から、液晶パネルまでの距離が等しくなり、画面が湾曲している状態においても画面の輝度むらを、液晶表示装置の外形寸法を大きくすることなく改善することができる。
【００２９】
請求項３に記載の発明によれば、複数の冷陰極蛍光ランプを使用して、かつ、各冷陰極蛍光ランプの管中心軸を含む面を液晶パネルと平行に設置することにより、光源である冷陰極蛍光ランプから、液晶パネルまでの距離が等しくなり、画面が湾曲している状態においても画面の輝度むらを、液晶表示装置の外形寸法を大きくすることなく改善することができる。
【００３０】
請求項４に記載の発明によれば、複数の冷陰極蛍光ランプを使用して、かつ、各冷陰極蛍光ランプの管中心軸を含む面を液晶パネルと平行に設置することにより、請求項２に記載の発明の効果と同様の効果を得られる。
【００３１】
請求項５に記載の発明によれば、通常の直管形状の冷陰極蛍光ランプを使用して、請求項３及び４に記載の発明の効果と同様の効果を得られる。
【００３２】
請求項６に記載の発明によれば、Ｕ字状の冷陰極蛍光ランプを使用して、請求項３及び４に記載の発明の効果と同様の効果を得られる。
【００３３】
請求項７に記載の発明によれば、冷陰極蛍光ランプの形状自体を液晶パネルと同様に湾曲させて、該ランプを液晶パネルの湾曲している辺と平行に並べることによって、請求項３及び４に記載の発明の効果と同様の効果を得られる。
【００３４】
請求項８に記載の発明によれば、光源にLED面光源を使用して、請求項１に記載の発明の効果と同様の効果を得られ、さらに、省電力効果をも得られる。
【００３５】
請求項９に記載の発明によれば、光源にLED面光源を使用して、請求項２に記載の発明の効果と同様の効果を得られ、さらに、省電力効果をも得られる。
【００３６】
請求項１０に記載の発明によれば、光源にキセノンランプを使用して、請求項１及び２に記載の発明の効果と同様の効果を得られる。
【００３７】
請求項１１に記載の発明によれば、請求項１乃至１０に記載の発明の効果と同様の効果を得られる。
【００３８】
請求項１２に記載の発明によれば、サイド型バックライトユニットについても、請求項２に記載の発明の効果と同様の効果を得られる。
【００３９】
請求項１３に記載の発明によれば、光源にLED面光源を使用したサイド型バックライトユニットについても、請求項１２に記載の発明の効果と同様の効果を得られとともに、省電力効果をも得られる。
【００４０】
請求項１４に記載の発明によれば、請求項１乃至１３と同様の効果を得られる
【発明を実施するための最良の形態】
【００４１】
以下、図を参照しつつ、発明を実施するための最良の形態につき説明する。
（実施の形態１）
図１は実施の形態１に係る凹型湾曲パネルを有する液晶表示装置に用いる直下型バックライトの構造を説明するための説明断面図である。
【００４２】
図１において、１０１はベゼルであり、１０２は液晶パネルであり、１０３は光学シートであり、１０４は冷陰極蛍光ランプであり、１０７は拡散板であり、１０６は反射シートであり、１０５は各冷陰極蛍光ランプの管中心軸を含む面である。なお、冷 陰極蛍光ランプ１０４の形状は本実施の形態においては直管形状である。これらの液晶パネル１０２、光学シート１０３、拡散板１０７、冷陰極蛍光ランプ１０４が設置されている様子を展開図によって説明する。
【００４３】
図２は実施の形態１に係る凹型湾曲液晶パネルを有する液晶表示装置に用いるバックライトを説明するための、主要部品である液晶パネル１０２、光学シート１０３、拡散板１０７、冷陰極蛍光ランプ１０４及びバックライトユニットフレーム２０２の説明展開図である。また、バックライトユニットフレーム２０２には反射シート１０６が設置されている。
【００４４】
液晶パネル１０２は凹型湾曲形状であり、光学シート１０３及び各冷陰極蛍光ランプの管中心軸を含む面１０５は液晶パネル１０２と同じ凹型湾曲形状を有しており、液晶パネル１０２と、光学シート１０３と、拡散板１０７と、各冷陰極蛍光ランプ１０４の管中心軸を含む面１０５とは平行となっている。
【００４５】
液晶パネル１０２と、光学シート１０３と、拡散板１０７と、各冷陰極蛍光ランプの管中心軸を含む面１０５とを平行にすることにより、液晶パネル１０２のいずれの部分においても画面と冷陰極蛍光ランプ１０４と間の距離が同じ距離となり、画面の輝度を均一にすることが可能となる。
（実施の形態２）
図３は実施の形態２に係る凹型湾曲液晶パネルを有する液晶表示装置に用いる直下型バックライトの構造を説明するための説明断面図である。
【００４６】
図３において、１０４は冷陰極蛍光ランプである。また、１０５は各冷陰極蛍光ランプ１０４の管中心軸を含む面である。
【００４７】
図４は実施の形態２に係る凹型湾曲液晶パネルを有する液晶表示装置に用いるバックライトの構造を説明するための、主要部品である液晶パネル１０２、光学シート１０３、拡散板１０７、冷陰極蛍光ランプ１０４及びバックライトユニットフレーム２０２の説明展開図である。
【００４８】
冷陰極蛍光ランプ１０４は湾曲液晶パネル１０２と同じ凹型 湾曲形状を有している。また、冷陰極蛍光ランプ１０４は図４に示されるように、液晶パネル１０２の湾曲している辺と平行を保ちつつ複数本並べられ、各冷陰極蛍光ランプ１０４の管中心軸を含む面１０５は液晶パネル１０２と、光学シート１０３と平行となるように各冷陰極蛍光ランプ１０４が設置されている。
【００４９】
実施の形態１に係る凹型湾曲パネルを有する液晶表示装置に用いるバックライトと同様に、液晶パネル１０２と、光学シート１０３と、各冷陰極蛍光ランプの管中心軸を含む面１０５を平行にすることにより、液晶パネル１０２のいずれの部分においても画面と冷陰極蛍光ランプ１０４と間の距離が同じ距離となり、画面の輝度を均一にすることが可能となる。
（実施の形態３）
図５は実施の形態３に係る凹型湾曲液晶パネルを有する液晶表示装置に用いるサイド型バックライトの構造を説明するための説明断面図である。
【００５０】
図５において、１０４は冷陰極蛍光ランプであり、５０１は導光板である。
【００５１】
また、図１１は実施の形態３に係る凹型湾曲液晶パネルを有する液晶表示装置に用いるバックライトを説明するための、主要部品である液晶パネル１０２、光学シート１０３、導光板５０１、冷陰極蛍光ランプ１０４及びバックライトユニットフレーム２０２の説明展開図である。なお、本実施の形態３においては二枚の光学シート１０３を使用する形態となっているが、他の実施の形態においても特に光学シートの枚数に特徴はなく、必要に応じて、枚数を決定する。
【００５２】
実施の形態３に係る凹型湾曲液晶パネルを有する液晶表示 装置に用いるバックライトにおいては、バックライトユニットの導光板５０１の形状は前記凹型湾曲パネルと同じ凹型湾曲形状であり、冷陰極蛍光ランプ１０４は直管形状であって導光板５０１の両側部に設置されている。このように冷陰極蛍光ランプ１０４が設置されていることにより冷陰極蛍光ランプ１０４から放射される光は導光板５０１によって液晶パネル１０２の画面に到達し、液晶パネル１０２のどこの画面においても輝度が均一になるように導光板５０１によって調整され得る。なお、実施の形態３において、冷陰極蛍光ランプ１０４は直管形状であって導光板５０１の両側部に設置されているが、両側部でなく片側の側部に設置する形態であってもよい。
（実施の形態４）
図６は実施の形態４に係る凹型湾曲液晶パネルを有する液晶表示装置に用いる直下型バックライトの構造を説明するための説明断面図である。
実施の形態４に係る凹型湾曲液晶パネルを有する液晶表示装置に用いるバックライトは実施の形態１に係る凹型湾曲パネルを有する液晶表示装置に用いるバックライトの冷陰極蛍光ランプ１０４の形状を直管形状ではなくU字形状として、口金部分が液晶表示装置を実際に 使用している状況において上部側になるように構成設置したものである。
【００５３】
図７は実施の形態４に係る凹型湾曲液晶パネルを有する液晶表示装置に用いるバックライトの構造を説明するための、主要部品である液晶パネル１０２、光学シート１０３、拡散板１０７、冷陰極蛍光ランプ１０４及びバックライトユニットフレーム２０２の説明展開図である。
冷陰極蛍光ランプ１０４については、直管形状の場合と同様に、管中心軸を含む面が液晶パネル１０２と平行になるように構成する。
【００５４】
この様な構成においても、実施の形態１に係る凹型湾曲パネルを有する液晶表示装置に用いるバックライトと同様に、液晶パネル１０２と、光学シート１０３と、各冷陰極蛍光ランプの管中心軸を含む面１０５を平行にすることにより、液晶パネル１０２のいずれの部分においても画面と冷陰極蛍光ランプ１０４と間の距離が同じ距離となり、画面の輝度を均一にすることが可能となる。
【００５５】
実施の形態１に係る凹型湾曲パネルを有する液晶表示装置に用いるバックライトとの相違としては口金を上に向けることにより、口金の周囲に水銀が蓄積することが改善され、冷陰極蛍光ランプ１０４の寿命が改善される。
（実施の形態５）
図９は実施の形態５に係る凹型湾曲液晶パネルを有する液晶表示装置に用いる直下型バックライトの構造を説明するための説明断面図である。
実施の形態５に係るバックライトは実施の形態１に係るバックライトの光源である冷陰極蛍光ランプ１０４に換えてLED面光源を光源として使用したものである。
【００５６】
図９において、９０４はLED面光源である。また、図９において、１０１はベゼルであり、１０２は液晶パネルであり、１０６は反射シートであり、１０７は拡散板であり、１０３は光学シートである。
【００５７】
図１０は実施の形態５に係る凹型湾曲液晶パネルを有する液晶表示装置に用いるバックライトを説明するための、主要部品である液晶パネル１０２、光学シート１０３、拡散板１０７、LED面光源９０４及びバックライトユニットフレーム２０２の説明展開図である。
【００５８】
液晶パネル１０２は凹型湾曲形状であり、光学シート１０３及びLED面光源９０４は液晶パネル１０２と同じ凹型湾曲形状を有しており、液晶パネル１０２と、光学シート１０３と、LED面光源９０４とは平行となるように構成されている。
【００５９】
液晶パネル１０２と、光学シート１０３と、LED面光源９０４を平行にすることにより、液晶パネル１０２のいずれの部分においても画面とLED面光源９０４と間の距離が同じ距離となり、画面の輝度を均一にすることが可能となる。光源をLED面光源とすることにより省電力効果を得られる。
（実施の形態６）
図１２は実施の形態６に係る凹型湾曲液晶パネルを有する液晶表示装置に用いるサイド型バックライトの構造を説明するための説明断面図である。図１２において、９０４は平板状のLED面光源であり、９０１はLEDであり、５０１は導光板である。また、図１３は実施の形態６に係る凹型湾曲液晶パネルを有する液晶表示装置に用いるバックライトを説明するための、主要部品である液晶パネル１０２、光学シート１０３、導光板５０１、LED面光源９０４及びバックライトユニットフレーム２０２の説明展開図である。
【００６０】
実施の形態６に係る凹型湾曲液晶パネルを有する液晶表示 装置に用いるバックライトにおいては、バックライトユニットの導光板５０１の形状は前記凹型湾曲パネルと略同じ凹型湾曲形状であり、平板状のLED面光源９０４は導光板５０１の両側部に設置されている。このようにLED面光源９０４が設置されていることにより平板状のLED面光源９０４から放射される光は導光板５０１によって調整されながら液晶パネル１０２の画面に均一に到達する。
【００６１】
なお、実施の形態６においては平板状のLED面光源９０４が導光板５０１の両側部に設置されているが、両側部でなく片側の側部に設置する形態であってもよい。
【図面の簡単な説明】
【００６２】
【図１】実施の形態１に係る凹型湾曲パネルを有する液晶表示装置に用いるバックライトの構造を説明するための説明断面図である。
【図２】実施の形態１に係る凹型湾曲液晶パネルを有する液晶表示装置に用いるバックライトを説明するための、主要部品である液晶パネル１０２、光学シート１０３、拡散板１０７、冷陰極蛍光ランプ１０４及びバックライトユニットフレーム２０２の説明展開図である。
【図３】実施の形態２に係る凹型湾曲液晶パネルを有する液晶表示装置に用いるバックライトの構造を説明するための説明断面図である。
【図４】実施の形態２に係る凹型湾曲液晶パネルを有する液晶表示装置に用いるバックライトの構造を説明するための、主要部品である液晶パネル１０２、光学シート１０３、拡散板１０７、冷陰極蛍光ランプ１０４及びバックライトユニットフレーム２０２の説明展開図である。
【図５】実施の形態３に係る凹型湾曲液晶パネルを有する液晶表示装置に用いるバックライトの構造を説明するための説明断面図である。
【図６】実施の形態４に係る凹型湾曲液晶パネルを有する液晶表示装置に用いるバックライトの構造を説明するための説明断面図である。
【図７】実施の形態４に係る凹型湾曲液晶パネルを有する液晶表示装置に用いるバックライトの構造を説明するための、主要部品である液晶パネル１０２、光学シート１０３、拡散板１０７、冷陰極蛍光ランプ１０４及びバックライトユニットフレーム２０２の説明展開図である。
【図８】凹型湾曲液晶パネルの両端を見ている  観測者の視線とバックライトの横幅の関係を示す説明断面図である。
【図９】実施の形態５に係る凹型湾曲液晶パネルを有する液晶表示装置に用いる直下型バックライトの構造を説明するための説明断面図である。
【図１０】実施の形態５に係る凹型湾曲液晶パネルを有する液晶表示装置に用いるバックライトを説明するための、主要部品である液晶パネル１０２、光学シート１０３、拡散板１０７、LED面光源９０４及びバックライトユニットフレーム２０２の説明展開図である。
【図１１】実施の形態３に係る凹型湾曲液晶パネルを有する液晶表示装置に用いるバックライトを説明するための、主要部品である液晶パネル１０２、光学シート１０３、導光板５０１、冷陰極蛍光ランプ１０４及びバックライトユニットフレーム２０２の説明展開図である。
【図１２】は実施の形態６に係る凹型湾曲液晶パネルを有する液晶表示装置に用いるサイド型バックライトの構造を説明するための説明断面図である。
【図１３】実施の形態６に係る凹型湾曲液晶パネルを有する液晶表示装置に用いるバックライトを説明するための、主要部品である液晶パネル１０２、光学シート１０３、導光板５０１、LED面光源９０４及びバックライトユニットフレーム２０２の説明展開図である。
【符号の説明】
【００６３】
１０１      ベゼル
１０２      液晶パネル
１０３      光学シート
１０４      冷陰極蛍光ランプ
１０５      各冷陰極蛍光ランプの管中心軸を含む面
１０６      反射シート
１０７      拡散板
２０２      バックライトユニットフレーム
【図１】
2007171681.tif 000003
【図２】
2007171681.tif 000004
【図３】
2007171681.tif 000005
【図４】
2007171681.tif 000006
【図５】
2007171681.tif 000007
【図６】
2007171681.tif 000008
【図７】
2007171681.tif 000009
【図８】
2007171681.tif 000010
【図９】
2007171681.tif 000011
【図１０】
2007171681.tif 000012
【図１１】
2007171681.tif 000013
【図１２】
2007171681.tif 000014
【図１３】
2007171681.tif 000015